(57)【特許請求の範囲】
【請求項１】
下方に開口する断面コ字形の長尺の溝形に形成されたランナー本体と、該ランナー本体と同一の全長を有する一定幅の平板を前記ランナー本体の上板部と同一平面上において前記ランナー本体の両側又は片側に突出させて一体的に設けた突出板部と、該突出板部の下面の略全面に設けられた弾性気密シートと、該突出板部の長さ方向両端部近傍であって、前記ランナー本体との結合部に隣接する位置に設けられた貫通孔とを具備することを特徴とする気密用間仕切ランナー。
【請求項２】
請求項１記載の気密用間仕切ランナーを前記天井野縁の下面の所定位置に配置し、前記気密用間仕切ランナーの前記弾性気密シートの下面に天井ボードの上面端部を密着させて取り付けたことを特徴とする間仕切壁の上部の気密構造。
【発明の詳細な説明】
【０００１】
【発明の属する技術分野】
本発明は、気密用間仕切ランナー及び該気密用間仕切ランナーを使用した間仕切壁の上部の気密構造に関し、特に、間仕切壁の上部の気密性を確保するための施工を簡略化することができるものに関する。
【０００２】
【従来の技術】
従来の間仕切ランナー５１は、図９に示すように、下方に開口する断面コ字形の長尺の溝形に形成されたものである。そして、このような従来の間仕切ランナー５１を使用する場合における間仕切壁の上部の気密構造５２は、例えば、以下のような構成となっている。すなわち、当該気密構造５２を示す斜視図である図１０及び断面図である図１１に示すように、天井野縁８の下面における前記間仕切ランナー５１の取付位置に、間仕切壁１６の厚さＴ２よりも長い一定幅の帯状に形成した気密シート５３が配置され、該気密シート５３の下面に前記間仕切ランナー５１が密着して取り付けられるとともに、該間仕切ランナー５１の溝部５４に垂直部材である間仕切スタッド９が嵌合して固定されることにより間仕切壁１６の内部の枠体が構成され、前記間仕切ランナー５１及び前記間仕切スタッド９の両側に前記間仕切ボード１０が取り付けられることにより間仕切壁１６が構成されている。そして、天井ボード１１の端面が前記間仕切ボード１０の上部側面に当接し、該天井ボード１１の上面端部１２が前記気密シート５３の下面に密着して取り付けられて天井下地が構成されている。ここで、前記天井ボード１１は、気密性を有している。したがって、上記のように構成することで、前記気密シート５３と前記天井ボード１１とが密着して気密面が連続的に構成され、前記間仕切壁１６の上部の気密性が確保される。
【０００３】
しかしながら、このような従来の間仕切壁１６の上部の気密構造５２では、前記間仕切ランナー５１の取付けの前に、前記天井野縁８の下面における前記間仕切ランナー５１の取付位置に前記気密シート５３を配置することが必要であり、また、その配置に際しては、前記気密シート５３を所定の位置に固定しておくために粘着テープ等により前記天井野縁８の下面に貼り付ける必要がある。
【０００４】
また、前記天井野縁８は隙間を空けて一定の間隔で配置されるものであり、当該隙間部分５５においては、前記気密シート５３の上方に押さえとなるものが存在しないため、前記気密シート５３の下面に前記天井ボード１１の上面端部１２を取り付けた状態で、前記気密シート５３が浮き上がって前記天井ボード１１の上面端部１２との間に隙間が生じることとなる。したがって、その部分においては、気密テープ（図示せず）で貼り付ける等の方法により当該隙間を塞いで気密性を確保する必要がある。
【０００５】
これらのことから、従来の間仕切壁１６の上部の気密構造５２においては、気密性を確保するための施工手順が煩雑であり、多くの作業工数を要するするという問題があった。また、煩雑な施工手順によって作業の容易化が妨げられ、施工ミスが発生し易くなるという問題もあった。
【０００６】
【発明が解決しようとする課題】
本発明は、上記課題に鑑みてなされたものであって、間仕切壁の上部の気密性を確保するための施工手順を簡略化することにより、作業工数を削減するとともに、作業を容易化して施工ミスを減少させることができる気密用間仕切ランナー及び該気密用間仕切ランナーを使用した間仕切壁の上部の気密構造を提供することを技術課題とするものである。
【０００７】
【課題を解決するための手段】
上記技術課題を解決するための具体的手段は、次のようなものである。すなわち、請求項１に記載する気密用間仕切ランナーは、下方に開口する断面コ字形の長尺の溝形に形成されたランナー本体と、該ランナー本体と同一の全長を有する一定幅の平板を前記ランナー本体の上板部と同一平面上において前記ランナー本体の両側又は片側に突出させて一体的に設けた突出板部と、該突出板部の下面の略全面に設けられた弾性気密シートと、該突出板部の長さ方向両端部近傍であって、前記ランナー本体との結合部に隣接する位置に設けられた貫通孔とを具備することを特徴とするものである。
【０００９】
請求項２に記載する間仕切壁の上部の気密構造は、請求項１記載の気密用間仕切ランナーを前記天井野縁の下面の所定位置に配置し、前記気密用間仕切ランナーの前記弾性気密シートの下面に天井ボードの上面端部を密着させて取り付けたことを特徴とするものである。
【００１０】
【発明の実施の形態】
以下、本発明に係る気密用間仕切ランナー及び該気密用間仕切ランナーを使用した間仕切壁の上部の気密構造について図面に基づいて説明する。本発明の第１の実施形態に係る気密用間仕切ランナー１は、図１に示すように、下方に開口する断面コ字形の長尺の溝形に形成されたランナー本体２と、該ランナー本体２と同一の全長を有する一定幅の平板を前記ランナー本体２の上板部３と同一平面上において前記ランナー本体２の両側に突出させて一体的に設けた突出板部４と、該突出板部４の下面の略全面に設けられた弾性気密シート５とを具備するものである。以下更に詳細に説明する。
【００１１】
前記気密用間仕切ランナー１のランナー本体２は、図２に示すように、使用時に天井野縁８に密着する上面を構成する上板部３と、該上板部３の幅方向両端において該上板部３に対して直角下方に設けられた左右の側板部６とによりコ字形の断面形状を有する長尺の溝形に形成されている。そして、前記上板部３と左右の前記側板部６とにより囲まれる部分が溝部７であり、該溝部７には間仕切スタッド９の上端部が嵌合されて固定される。したがって、前記溝部７の幅、すなわち、左右の前記側板部６の内側面同士の距離は、前記間仕切スタッド９の幅と同一となっている。
【００１２】
前記気密用間仕切ランナー１の突出板部４は、前記ランナー本体２の両側に突出して一体的に設けられた一定幅の平板であって、前記ランナー本体２の上板部３と同一平面上に位置し、前記ランナー本体２の全長と同一の全長を有している。ここで、前記突出板部４の幅Ｗは、間仕切ボード１０の厚さＴ１よりも長いことが望ましい。その理由は、図２に示すように、前記天井ボード１１を、その端面が前記間仕切ボード１０の上部側面に当接するように取り付ける場合においては、前記突出板部４の幅を、前記間仕切ボード１０の上端面の幅、すなわち前記間仕切ボード１０の厚さＴ１よりも長くしなければ、前記突出板部４の下面に設けられた弾性気密シート５の下面に天井ボード１１の上面端部１２を密着させることができず、気密性を確保することができないからである。一方、図３に示すように、前記間仕切ボード１０を、その上端面が前記天井ボード１１の端部下面に当接するように取り付ける場合には、前記突出板部４の幅について、そのような制限を受けることがなく任意の長さとすることができる。
【００１３】
図１に示すように、前記気密用間仕切ランナー１の弾性気密シート５は、弾性を有するシート状の気密部材であり、その材質としては、ポリエチレンやポリプロピレンなどの合成樹脂の発泡体などが好適である。そして、前記弾性気密シート５は、これらの合成樹脂発泡体などを前記突出板部４の下面と略同一形状の薄いシート状に形成した後、前記突出板部４の下面に接着剤などにより貼り付けられることにより前記突出板部４の下面の略全面に設けられる。なお、前記弾性気密シート５の材質は上記のものに限定されるものではなく、弾性及び気密性を有し、任意の外形のシート状に形成することができるものであれば使用することができる。
【００１４】
また、本実施形態においては、前記気密用間仕切ランナー１の前記突出板部４に貫通孔１３が設けられている。該貫通孔１３は、前記突出板部４の長さ方向両端部近傍であって、前記ランナー本体２との結合部、すなわち前記突出板部４における前記ランナー本体２の側板部６の上端との結合部に隣接する位置に設けられる。前記貫通孔１３は、前記気密用間仕切ランナー１を前記天井野縁８の下面に取り付ける際に取付位置を確認するために設けられるものである。なお、前記貫通孔１３において気密欠損が生じることを防止するため、前記貫通孔１３の周囲における前記突出板部４の上面には視認性を害さない透明の気密シート（図示せず）が貼り付けられ、気密性が確保されている。前記透明の気密シートとしてはポリエチレンシートなどを使用することができる。
【００１５】
すなわち、図４に示すように、前記天井野縁８の下面における前記気密用間仕切ランナー１の取付位置には、前記ランナー本体２の幅と略同一の幅で２本の墨１４（基準線）が打たれており、前記気密用間仕切ランナー１は、２本の前記墨１４に前記ランナー本体２の左右の側板部６の位置を合わせることにより前記天井野縁８の下面の正確な位置に取り付けられる。しかし、本実施形態に係る気密用間仕切ランナー１においては、従来の間仕切ランナーとは異なり、前記突出板部４が設けられているため、前記突出板部４が邪魔になり、そのままでは２本の前記墨１４に合わせて前記気密用間仕切ランナー１の位置決めを行うことが非常に困難である。そこで、前記貫通孔１３を上述の通りの位置に設けたことにより、図５に示すように、前記貫通孔１３を通して前記墨１４の位置を確認することができ、前記気密用間仕切ランナー１を正確な位置に取り付けることができる。
【００１６】
次に、本発明の第１の実施形態に係る気密用間仕切ランナー１を使用した間仕切壁の上部の気密構造１５について説明する。該間仕切壁の上部の気密構造１５は、当該気密構造１５を示す斜視図である図６及び断面図である図２に示すように、前記気密用間仕切ランナー１を前記天井野縁８の下面の所定位置に配置し、前記気密用間仕切ランナー１の前記弾性気密シート５の下面に天井ボード１１の上面端部１２を密着させて取り付けたものである。以下更に詳細に説明する。
【００１７】
前記天井野縁８の下面の所定位置、すなわち、間仕切壁が配置される位置の上部の位置には、前記気密用間仕切ランナー１が配置され、取り付けられる。この際、前述の通り、前記貫通孔１３を利用して前記天井野縁８の下面に描かれた前記墨１４を基準に前記気密用間仕切ランナー１を正確な位置に配置する。前記気密用間仕切ランナー１の取り付けは、ビスなどの固定具（図示せず）を用いて行う。
【００１８】
そして、前記気密用間仕切ランナー１のランナー本体２の内側に形成された溝部７に垂直部材である間仕切スタッド９が嵌合するとともにビスなどの固定具（図示せず）によって固定され、間仕切壁１６の内部の枠体が構成され、前記気密用間仕切ランナー１のランナー本体２の両側の側面部６及び前記間仕切スタッド９の両側の側面には間仕切ボード１０が取り付けられ、間仕切壁１６が構成される。また、前記間仕切壁１６との接続部以外における前記天井野縁８の下面には、天井ボード１１が取り付けられ、天井下地が構成される。
【００１９】
本実施形態においては、図２に示すように、前記天井ボード１１は、その端面を前記間仕切ボード１０の上部側面に当接させ、その上面端部１２を前記気密用間仕切ランナー１の前記弾性気密シート５の下面に密着させて取り付けられる。ここで、前記天井ボード１１は、前記天井ボード１１の上面に沿った気密面を構成して建物の天井部における気密性を確保するため、その上面に気密シート１７が一体的に貼り付けられ、気密性を有するものとされている。前記気密シート１７は、気密性を有する薄いシート状部材であって、例えばポリエチレンやポリプロピレンなどの合成樹脂を薄いシート状に形成したものを使用することができる。なお、前記天井ボード１１と前記間仕切ボード１０との配置の関係については、図３に示すように、前記間仕切ボード１０を、その上端面が前記天井ボード１１の端部下面に当接するように取り付けることも可能である。この場合においても、前記天井ボード１１の上面端部１２は前記気密用間仕切ランナー１の前記弾性気密シート５の下面に密着させて取り付けられる。
【００２０】
以上のようにして前記気密用間仕切ランナー１の前記弾性気密シート５の下面に前記天井ボード１１の上面端部１２を密着させて取り付けたことにより、前記天井ボード１１の上面に貼り付けられた前記気密シート１７によって形成された気密面と前記気密用間仕切ランナー１の前記弾性気密シート５とが隙間なく密着することとなり、間仕切壁１６の上部における気密性を確保することができる。
【００２１】
次に、本発明の第２の実施形態に係る気密用間仕切ランナー１について説明する。本発明の第２の実施形態に係る気密用間仕切ランナー１は、図７に示すように、下方に開口する断面コ字形の長尺の溝形に形成されたランナー本体２と、該ランナー本体２と同一の全長を有する一定幅の平板を前記ランナー本体２の上板部３と同一平面上において前記ランナー本体２の片側に突出させて一体的に設けた突出板部４と、該突出板部４の下面の略全面に設けられた弾性気密シート５とを具備するものである。すなわち、前記第１の実施形態に係る気密用間仕切ランナー１の突出板部４を片側のみとしたものに等しい。
【００２２】
この第２の実施形態に係る気密用間仕切ランナー１は、前記間仕切壁１６の厚さＴ２を通常よりも厚くする場合に使用する気密用間仕切ランナー１である。すなわち、本実施形態に係る気密用間仕切ランナー１は、使用の際には、図８に示すように、前記気密用間仕切ランナー１を左右対称に２個並列的に密着させて使用する。これにより、前記突出板部４を両側に備え、且つ、前記第１の実施形態に係る気密用間仕切ランナー１の２倍の横幅を有する気密用間仕切ランナー１とすることができる。２個の前記気密用間仕切ランナー１の結合は、前記気密用間仕切ランナー１のランナー本体２の密着する側面同士を気密テープ１８により結合することにより行っている。なお、２個の前記気密用間仕切ランナー１の結合は、この結合方法に限定されるものではなく、ビスなどの固定具により結合する方法や、その他のこの分野で公知のすべての方法を用いることができる。
【００２３】
【発明の効果】
以上説明したように、本発明の請求項１に係る気密用間仕切ランナーによれば、前記突出板部の下面に設けられた弾性気密シートの下面に天井ボードの上面端部を密着させるのみで間仕切壁の上部における気密性を確保することができるので、従来の間仕切ランナーの取付位置への気密シートの配置及び該気密シートと天井ボードとの隙間を塞ぐための気密テープの貼付け作業が不要となり、間仕切壁の上部の気密性を確保するための施工手順を簡略化することができ、作業工数を削減するとともに、作業を容易化して施工ミスを減少させることができる。そしてさらに、上述の効果に加えて、前記突出板部の長さ方向両端部近傍であって、前記ランナー本体との結合部に隣接する位置に貫通孔を設けたことにより、該貫通孔を通して天井野縁の下面の墨の位置を確認することができ、前記気密用間仕切ランナーを正確な位置に取り付けることができる。
【００２５】
本発明の請求項２に係る間仕切壁の上部の気密構造によれば、請求項１記載の気密用間仕切ランナーを前記天井野縁の下面の所定位置に配置し、前記気密用間仕切ランナーの前記弾性気密シートの下面に天井ボードの上面端部を密着させて取り付けたことにより、前記天井ボードの上面に形成された気密面と前記気密用間仕切ランナーの前記弾性気密シートとの間で気密性が確保されるので、簡易な施工手順で間仕切壁の上部の気密性を確保することができ、作業工数を削減するとともに、作業を容易化して施工ミスを減少させることができる。
【図面の簡単な説明】
【図１】本発明の実施形態に係る気密用間仕切ランナーを示す斜視図である。
【図２】本発明の実施形態に係る間仕切壁の上部の気密構造を示す断面図である。
【図３】本発明の実施形態に係る間仕切壁の上部の気密構造の別の例を示す断面図である。
【図４】本発明の実施形態に係る気密用間仕切ランナーを天井野縁に取り付ける際の状態を示す斜視図である。
【図５】本発明の実施形態に係る気密用間仕切ランナーを天井野縁に取り付ける際の状態を示す平面図である。
【図６】本発明の実施形態に係る間仕切壁の上部の気密構造を示す斜視図である。
【図７】本発明の第２の実施形態に係る気密用間仕切ランナーを示す斜視図である。
【図８】本発明の第２の実施形態に係る気密用間仕切ランナーの使用時の状態を示す斜視図である。
【図９】従来例に係る間仕切ランナーを示す斜視図である。
【図１０】従来例に係る間仕切壁の上部の気密構造を示す斜視図である。
【図１１】従来例に係る間仕切壁の上部の気密構造を示す断面図である。
【符号の説明】
１  気密用間仕切ランナー
２  ランナー本体
３  ランナー本体の上板部
４  突出板部
５  弾性気密シート
６  ランナー本体の側板部
７  溝部
８  天井野縁
９  間仕切スタッド
１０  間仕切ボード
１１  天井ボード
１２  天井ボードの上面端部
１３  貫通孔
１４  墨
１５  間仕切壁の上部の気密構造
１６  間仕切壁
１７  天井ボードの上面の気密シート
１８  気密テープ
Ｗ  突出板部の幅
Ｔ１  間仕切ボードの厚さ
Ｔ２  間仕切壁の厚さ
【図１】
0003871847.tif 000002
【図２】
0003871847.tif 000003
【図３】
0003871847.tif 000004
【図４】
0003871847.tif 000005
【図５】
0003871847.tif 000006
【図６】
0003871847.tif 000007
【図７】
0003871847.tif 000008
【図８】
0003871847.tif 000009
【図９】
0003871847.tif 000010
【図１０】
0003871847.tif 000011
【図１１】
0003871847.tif 000012